【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
無線通信装置であって、
無線通信ネットワークを構築する構築装置としての機能と、構築された無線通信ネットワークに参加する参加装置としての機能とを制御する制御手段と、
他の無線通信装置を探索する探索手段と、
前記他の無線通信装置から送信された情報を受信する受信手段と、
前記他の無線通信装置が検出された場合、前記受信手段が受信した情報から、前記参加装置として動作することを決定するための第１の所定の情報を検出する検出手段と、
前記受信手段が受信した、前記構築装置として動作するか前記参加装置として動作するかを判定するための第２の所定の情報に基づいて、前記構築装置として動作するか前記参加装置として動作するかを判定する判定手段と、を有し、
前記制御手段は、前記第１の所定の情報が検出された場合、前記参加装置として動作し、前記第１の所定の情報が検出されなかった場合、前記判定手段による判定に応じて、前記構築装置か前記参加装置かの何れかで動作することを特徴とする無線通信装置。
【請求項２】
前記制御手段により制御される動作に基づいて、前記他の無線通信装置と無線通信ネットワークを構築する構築手段を更に有することを特徴とする請求項１に記載の無線通信装置。
【請求項３】
前記判定手段は、前記第２の所定の情報と、前記無線通信装置に設定されている第３の所定の情報との比較に基づいて、前記構築装置として動作するか前記参加装置として動作するかを判定することを特徴とする請求項１または２に記載の無線通信装置。
【請求項４】
前記判定手段は、前記第２の所定の情報と前記第３の所定の情報とを比較し、前記第２の所定の情報が前記第３の所定の情報より大きい場合は、前記参加装置として動作すると判定し、前記第３の所定の情報が前記第２の所定の情報より大きい場合は、前記構築装置として動作すると判定することを特徴とする請求項３に記載の無線通信装置。
【請求項５】
前記構築装置として動作する場合、構築する無線通信ネットワークのネットワーク識別子を設定し、前記参加装置として動作する場合、前記他の無線通信装置により設定されたネットワーク識別子の無線通信ネットワークに参加することを特徴とする請求項１乃至４の何れか１項に記載の無線通信装置。
【請求項６】
前記判定手段により前記構築装置として動作すると判定された場合に、第２の他の無線通信装置からの探索要求に対して、前記第１の所定の情報を含めて応答する応答手段を更に有することを特徴とする請求項１乃至５の何れか１項に記載の無線通信装置。
【請求項７】
前記他の無線通信装置と無線通信ネットワークを構築した後に、該無線通信ネットワークに第３の他の無線通信装置を参加させるための処理または該第３の他の無線通信装置が構築した無線通信ネットワークに参加するための処理を行う処理手段を更に有することを特徴とする請求項１乃至６の何れか１項に記載の無線通信装置。
【請求項８】
前記探索手段は、前記他の無線通信装置を探索するための探索信号を送信することを特徴とする請求項１乃至７の何れか１項に記載の無線通信装置。
【請求項９】
前記検出手段は、前記探索信号に対する応答信号から前記第１の所定の情報を検出することを特徴とする請求項８に記載の無線通信装置。
【請求項１０】
無線通信装置の制御方法であって、
無線通信ネットワークを構築する構築装置としての機能と、構築された無線通信ネットワークに参加する参加装置としての機能とを制御する制御工程と、
他の無線通信装置を探索する探索工程と、
前記他の無線通信装置から送信された情報を受信する受信工程と、
前記他の無線通信装置が検出された場合、前記受信工程において受信した情報から、第１の所定の情報を検出する検出工程と、
前記第１の所定の情報が検出されなかった場合、前記受信工程において受信した第２の所定の情報に基づいて、前記構築装置として動作するか前記参加装置として動作するかを判定する判定工程と、を有し、
前記制御工程は、前記第１の所定の情報が検出された場合、前記参加装置として動作し、前記第１の所定の情報が検出されなかった場合、前記判定工程における判定に応じて、前記構築装置か前記参加装置かの何れかで動作することを特徴とする無線通信装置の制御方法。
【請求項１１】
コンピュータを、請求項１乃至９のいずれか１項に記載の無線通信装置の各手段として機能させるための制御プログラム。
【請求項１２】
無線通信装置であって、
親局としての機能と、子局としての機能とを制御する制御手段と、
他の無線通信装置を探索する探索手段と、
前記他の無線通信装置から送信された情報を受信する受信手段と、
前記他の無線通信装置が検出された場合、前記受信手段が受信した情報から、前記子局として動作することを決定するための第１の所定の情報を検出する検出手段と、
前記受信手段が受信した、前記親局として動作するか前記子局として動作するかを判定するための第２の所定の情報に基づいて、前記親局として動作するか前記子局として動作するかを判定する判定手段と、
前記子局として動作する場合、前記他の無線通信装置が構築したネットワークに参加する参加手段と、
前記親局として動作する場合、無線通信ネットワークを構築する構築手段とを有し、
前記制御手段は、前記第１の所定の情報が検出された場合、前記子局として動作し、前記第１の所定の情報が検出されなかった場合、前記判定手段による判定に応じて、前記親局か前記子局かの何れかで動作することを特徴とする無線通信装置。
【請求項１３】
無線通信装置の制御方法であって、
他の無線通信装置を探索する探索工程と、
前記他の無線通信装置から送信された情報を受信する受信工程と、
前記他の無線通信装置が検出された場合、前記受信工程において受信した情報から、子局として動作することを決定するための第１の所定の情報を検出する検出工程と、
前記受信工程において受信した、親局として動作するか前記子局として動作するかを判定するための第２の所定の情報に基づいて、前記親局として動作するか前記子局として動作するかを判定する判定工程と、
前記子局として動作する場合、前記他の無線通信装置が構築したネットワークに参加する参加工程と、
前記親局として動作する場合、無線通信ネットワークを構築する構築工程と、を有し、
前記第１の所定の情報が検出された場合、前記子局として動作し、前記第１の所定の情報が検出されなかった場合、前記判定工程による判定に応じて、前記親局か前記子局かの何れかで動作することを特徴とする無線通信装置の制御方法。
【請求項１４】
コンピュータを、請求項１２に記載の無線通信装置の各手段として機能させるための制御プログラム。
【手続補正２】
【補正対象書類名】明細書
【補正対象項目名】００１５
【補正方法】変更
【補正の内容】
【００１５】
上記の目的を達成するために本発明に係る無線通信装置は以下のような構成を備える。即ち、
無線通信装置であって、
無線通信ネットワークを構築する構築装置としての機能と、構築された無線通信ネットワークに参加する参加装置としての機能とを制御する制御手段と、
他の無線通信装置を探索する探索手段と、
前記他の無線通信装置から送信された情報を受信する受信手段と、
前記他の無線通信装置が検出された場合、前記受信手段が受信した情報から、前記参加装置として動作することを決定するための第１の所定の情報を検出する検出手段と、
前記受信手段が受信した、前記構築装置として動作するか前記参加装置として動作するかを判定するための第２の所定の情報に基づいて、前記構築装置として動作するか前記参加装置として動作するかを判定する判定手段と、を有し、
前記制御手段は、前記第１の所定の情報が検出された場合、前記参加装置として動作し、前記第１の所定の情報が検出されなかった場合、前記判定手段による判定に応じて、前記構築装置か前記参加装置かの何れかで動作することを特徴とする。